(57)【特許請求の範囲】
【請求項１】
充電により動作する電子機器を充電する充電器において、前記電子機器の筐体を固定する電子機器の筐体固定機構であって、
前記電子機器を収納して充電する収納部を有し、
前記収納部は、側部と底部を有する凹形状であり、
前記収納部の一部を構成し、前記電子機器を固定する固定手段と、
前記収納部の一部を構成し、前記固定手段と接触可能に設けられ、前記固定手段による前記電子機器の固定を解除する解除手段と、
を有し、
前記固定手段は、
前記収納部の対向する側部の一部を構成する一対の部材であり、かつ前記電子機器と接触可能なフックを内壁側に有し、
さらに、前記収納部の外壁側に移動可能な板状の形状を有し、前記フックが内壁側に設けられたフック部と、
前記フック部の内壁側に設けられ、端面がテーパ状に傾斜して形成された板状のフック接触部と、
を有し、
前記フックが、前記電子機器を挟み込むことにより前記電子機器を固定し、
前記解除手段は、前記収納部の底部の一部を構成し、前記電子機器の収納方向に移動可能であり、かつ、端面が逆テーパ状に傾斜して形成された爪部と
を有し、
前記フック接触部の端面と前記爪部の端面は接触可能に設けられ、
前記解除手段は、前記爪部を前記電子機器を収納する向きに押圧すると、前記フック部の端面が前記爪部の端面に押圧されて前記収納部の外壁側にスライドすることにより、前記フック部が外壁側に移動し、前記固定手段による前記電子機器の固定を解除することを特徴とする電子機器の筐体固定機構。
【請求項２】
前記収納部の底部には切り欠き部が設けられ、
前記爪部は、前記きり欠き部に設けられていることを特徴とする請求項１記載の電子機器の筐体固定機構。
【請求項３】
前記爪部は、
上面に、前記電子機器と接触可能な突起が設けられていることを特徴とする請求項２記載の電子機器の筐体固定機構。
【請求項４】
請求項１〜３のいずれか一項に記載の電子機器の筐体固定機構を有することを特徴とする電子機器の充電器。
【請求項５】
請求項１〜３のいずれか一項に記載の電子機器の筐体固定機構を有することを特徴とする携帯電話の充電器。
【発明の詳細な説明】
【技術分野】
【０００１】
本発明は、充電により動作する電子機器を充電する充電器において、電子機器の筐体を固定する電子機器の筐体固定機構、電子機器の筐体固定機構を有する充電器、特に、携帯電話の充電器に関する。
【背景技術】
【０００２】
携帯電話、ＰＨＳ等の小型の電子機器は、電源として、繰り返し使用可能な二次電池が用いられている。
【０００３】
これらの二次電池は、多くの場合、ＡＣアダプタや自動車のシガーライターソケットに接続された充電器に、電子機器の筐体を装着することにより、充電される。
【０００４】
充電の際には、充電器と電子機器の端子を電気的に接続した状態を維持する必要があるため、充電器側には、電子機器を固定（保持）するための固定手段が設けられている。
【０００５】
ここで、固定の際に重要となるのが、固定手段により筐体を固定する適切な接圧（保持力）の確保と、固定手段の操作の容易性である。
【０００６】
即ち、固定手段により筐体を保持する力（保持力）が弱いと、筐体が浮き上がってしまい、充電器と電子機器の端子の接続状態を維持することができなくなり、操作性、商品性を損なうことにもなる。
【０００７】
一方、筐体を保持する力が強すぎると充電器自体が筐体を抱え込むことにより吊り上がる現象が起きて充電器の安定性が失われ、やはり操作性、商品性を損なう原因となる。
【０００８】
このような現象は、いわゆる据え置き型の充電器の場合に顕著である。
【０００９】
また、固定手段の操作が複雑な場合、充電器の操作性、商品性を損なうのはもちろんのことである。
【００１０】
そのため、固定機構には適切な保持力と良好な操作性が求められる。
【００１１】
上記の問題を解決する構造として、例えば特許文献１には、携帯電話機を装着することにより自動的に携帯電話機を保持するキャッチラッチが記載されている。
【００１２】
このキャッチラッチは、携帯電話機で押圧することにより、下部に設けられた軸部を押し下げて軸部と接触していたラッチを離間させ、軸部に設けられたスプリングが軸部を上方に持ち上げることにより、保持が解除される（特許文献１）。
【００１３】
【特許文献１】特開平８−１０２７７９号公報
【発明の開示】
【発明が解決しようとする課題】
【００１４】
特許文献１のような構造は、適切な保持力と良好な操作性という観点からは一定の効果があるものと考えられる。
【００１５】
しかしながら、保持力を強化して筐体の浮きを防止し、かつ筐体のスムースな脱着を実現するだけでなく、構造を簡素化するという観点からは、上記構造にはさらに改良の余地がある。
【００１６】
本発明は、このような問題に鑑みてなされたもので、その目的は、簡易な構造で、適切な保持力を実現し、かつ電子機器の着脱が容易な電子機器の充電器の筐体固定機構を提供することにある。
【課題を解決するための手段】
【００１７】
前述した目的を達成するために、第１の発明は、充電により動作する電子機器を充電する充電器において、前記電子機器の筐体を固定する電子機器の筐体固定機構であって、
前記電子機器を収納して充電する収納部を有し、前記収納部は、前記収納部の一部を構成し、前記電子機器を固定する固定手段と、前記収納部の一部を構成し、前記固定手段と接触可能に設けられ、前記固定手段による前記電子機器の固定を解除する解除手段と、を有し、前記解除手段は、前記電子機器に押圧されると前記固定手段による固定を解除することを特徴とする電子機器の筐体固定機構である。
【００１８】
第２の発明は、第１の発明に記載の電子機器の筐体固定機構を有することを特徴とする電子機器の充電器である。
【００１９】
第３の発明は、第１の発明に記載の電子機器の筐体固定機構を有することを特徴とする携帯電話の充電器である。
【００２０】
第１〜第３の発明では、筐体が収納される収納部自体が固定機構を構成しており、構造が非常に簡易である。
【発明の効果】
【００２１】
本発明によれば、簡易な構造で、適切な保持力を実現し、かつ電子機器の着脱が容易な電子機器の充電器の筐体固定機構を提供することができる。
【発明を実施するための最良の形態】
【００２２】
以下、図面に基づいて本発明に好適な実施形態を詳細に説明する。
【００２３】
まず、図１〜図４を参照して本実施形態に係る筐体固定機構１が設けられた充電器３の概略構成について説明する。
【００２４】
ここでは、充電器３として、携帯電話５１を充電するための、携帯電話の充電器が例示されている。
【００２５】
図１〜図４に示すように充電器３は、本体５、本体５に設けられ、携帯電話５１の筐体５３を収納する収納部７を有している。
【００２６】
具体的には、本体５は側面形状が扇形を重ねた形状を有しており、図４に示すように、外周部分を構成する側枠３ａおよび、側枠３ａに連結され、本体５の底部を構成する底枠３ｂを有している。
【００２７】
なお、本体５の外観が、図示された形状に限定されないことは、もちろんのことである。
【００２８】
収納部７は、図４に示すように、側部１４とハウジング部（底部）１５を有する凹形状を有しており、携帯電話５１の形状に対応した形状を有している。
【００２９】
なお、後述するように、収納部７には、その一部を構成する筐体固定機構１が設けられている。
【００３０】
側部１４の一部を構成するフック部１１ａ、１１ｂの内壁にはフック１３ａ、１３ｂが設けられている。
【００３１】
一方、図４に示すように、携帯電話５１は、電話の基板や電池等の部品を収納した筐体５３を有し、筐体５３の側面には、フック１３ａ、１３ｂの形状に対応した凹形状の嵌合部５５ａ、５５ｂが設けられている。
【００３２】
詳細は後述するが、図４の状態で携帯電話５１を図４のＣ１の向きに移動させて収納部７内に収納することにより、フック１３ａ、１３ｂが嵌合部５５ａ、５５ｂに嵌合され、筐体５３が充電器３に固定される。
【００３３】
なお、本体５には携帯電話５１を充電するための端子、基板、配線等が設けられているが、図１〜図４ではこれらの記載を省略し、これらの構造の説明および充電の手順も省略する。
【００３４】
また、本体５には、充電器３をＡＣアダプタや自動車のシガーライターソケットに接続するための接続部が設けられているが、図１〜図４では接続部の説明やアダプタ等の説明も省略する。
【００３５】
次に、図４〜図６を参照して、筐体固定機構１の構成について説明する。
【００３６】
図４〜図６に示すように、筐体固定機構１は、収納部７の側面の一部を構成する固定手段としての板状のフック部１１ａ、１１ｂおよびフック接触部２１ａ、２１ｂと、収納部７のハウジング部（底部）１５の一部を構成する解除手段としての爪部２９ａ、２９ｂを有している。
【００３７】
具体的には、フック部１１ａ、１１ｂは、側面の一部を構成する板状の部材であり、互いに対向するように設けられている。
【００３８】
フック部１１ａ、１１ｂは、内壁側（収納部７の内側の面）に設けられたフック１３ａ、１３ｂを有している。
【００３９】
また、フック部１１ａ、１１ｂの内壁から突出するようにして、板状のフック接触部２１ａ、２１ｂが設けられている。
【００４０】
なお、フック接触部２１ａ、２１ｂは、フック１３ａ、１３ｂの下側に位置するように設けられている。
【００４１】
フック接触部２１ａ、２１ｂは端面２３ａ、２３ｂを有しているが、端面２３ａ、２３ｂはいわゆるテーパ状の形状を有している。
【００４２】
具体的には、端面２３ａ、２３ｂは、収納部７の内壁側（図３、図６のＣ２の向き）を向くように（傾斜して）設けられている。
【００４３】
なお、フック部１１ａは収納部７の内壁側（図３のＤ２の向き）に常時押圧される構造、あるいは常時、図６（ａ）の状態で保持される構造となっているが、外壁側（Ｄ１の向き）に一定以上の力で押圧されると、Ｄ１の向きに移動可能である。
【００４４】
フック部１１ｂも同様に、収納部７の内壁側（図３のＤ１の向き）に常時、押圧される構造、あるいは常時、図６（ｂ）の状態で保持される構造となっているが、外壁側（Ｄ２の向き）に一定以上の力で押圧されると、Ｄ２の向きに移動可能である。
【００４５】
なお、図３および図６では押圧構造あるいは保持構造の図示を省略し、説明も省略する。
【００４６】
一方、爪部２９ａは、図５（ａ）に示すように、ハウジング部（底部）１５の端部に設けられた切り欠き部２７ａ内に設けられており、ハウジング部（底部）１５とは一体となり、その一部を構成している。
【００４７】
また、図５（ｂ）に示すように、爪部２９ｂもハウジング部（底部）１５の反対側の端部に設けられた切り欠き部２７ｂ内に設けられており、ハウジング部（底部）１５とは一体となり、その一部を構成している。
【００４８】
図３および図６（ａ）に示すように、爪部２９ａの端面３５ａは、いわゆる逆テーパ状の形状を有している。
【００４９】
また、図３および図６（ａ）に示すように、爪部２９ｂの端面３５ｂも、いわゆる逆テーパ状の形状を有している。
【００５０】
具体的には、端面３５ａ、３５ｂは、収納部７の外壁側（図６のＣ１の向き）を向くように（傾斜して）設けられている。
【００５１】
また、図６（ａ）に示すように、爪部２９ａは、上面に、筐体５３と接触する突起３１ａ、３３ａが設けられている。
【００５２】
同様に、図６（ｂ）に示すように、爪部２９ｂも、上面に、筐体５３と接触する突起３１ｂ、３３ｂが設けられている。
【００５３】
なお、端面３５ａ、３５ｂは、通常の状態、具体的には爪部２９ａ、２９ｂがＣ１の向きに押圧されていない状態では、フック接触部２１ａ、２１ｂの端面２３ａ、２３ｂと（斜めに）接触している。
【００５４】
即ち、図３および図６の状態では、フック１３ａ、１３ｂと爪部２９ａ、２９ｂは互いに斜めに接触している。
【００５５】
なお、爪部２９ａ、２９ｂは、後述するように、筐体５３に押圧されると変形するため、弾性を有する材料で構成するのが望ましい。
【００５６】
次に、筐体固定機構１の動作について、図４、図６および図７を参照して説明する。
【００５７】
まず、収納部７に携帯電話５１が収納されていない状態で、図４に示すように、携帯電話５１を図４のＣ１の向きに移動させて収納部７内に収納すると、フック１３ａ、１３ｂが嵌合部５５ａ、５５ｂに嵌合され、筐体５３が筐体固定機構１に固定される（図６参照）。
【００５８】
この状態では、筐体５３はフック１３ａ、１３ｂに挟み込まれ、適切な保持力によって保持されており、充電器３は、図示しない端子等を介して、携帯電話５１を充電可能である。
【００５９】
なお、保持力は、フック部１１ａをＤ２の向きに、フック部１１ｂをＤ１の向きにそれぞれ押圧する押圧力、もしくはフック部１１ａ、１１ｂを図３の状態に保持する保持力を調整することにより、調整可能である。
【００６０】
次に、筐体５３が保持された状態から、筐体５３を取り外したい場合は、筐体５３を図３、図６のＣ１の向き（筐体５３を収納する向き）に移動する。
【００６１】
筐体５３がＣ１の向きに移動すると、筐体５３の底面が爪部２９ａ、２９ｂの突起３１ａ、３１ｂ、３３ａ、３３ｂと接触する。
【００６２】
すると、爪部２９ａは筐体５３にＣ１の向きに押圧されて折り曲げられ、図７（ａ）に示すようにＣ１の向きに押し下げられる。
【００６３】
同様に、図７（ｂ）に示すように、爪部２９ｂもＣ１の向きに押し下げられる。
【００６４】
ここで、爪部２９ａ、２９ｂの端面３５ａ、３５ｂは、フック接触部２１ａ、２１ｂの端面２３ａ、２３ｂと（斜めに）接触しており、かつ端面３５ａ、３５ｂは逆テーパ状の形状を有し、端面２３ａ、２３ｂはテーパ状の形状を有している。
【００６５】
そのため、図７（ａ）に示すように、端面２３ａは端面３５ａ上をスライドしてＤ１の向きに移動する。
【００６６】
また、図７（ｂ）に示すように、端面２３ｂは端面３５ｂ上をスライドしてＤ２の向きに移動する。
【００６７】
即ち、フック部１１ａ、１１ｂがＤ１、Ｄ２の向きに移動する。
【００６８】
フック部１１ａ、１１ｂがＤ１、Ｄ２の向きに移動すると、フック１３ａ、１３ｂが押し広げられて嵌合部５５ａ、５５ｂから離れ、固定状態が解除される。
【００６９】
この状態では、筐体５３を収納部７から取り外すことができる。
【００７０】
このように、筐体固定機構１は、その構成部材であるフック部１１ａ、１１ｂと、爪部２９ａ、２９ｂが、収納部７の一部を構成する部材であり、フック部１１ａ、１１ｂと、爪部２９ａ、２９ｂが斜めに接触する構造とすることにより、固定の解除を実現している。
【００７１】
即ち、筐体固定機構１は、ハウジング部（底部）１５にラッチ機能を持たせ、収納部７と一体となった構造であり、フック１３ａ、１３ｂに高い接触圧力が要求される場合でも、適切な押圧力を確保できる。
【００７２】
また、筐体固定機構１は、筐体５３が爪部２９ａ、２９ｂを押圧することによって筐体５３の固定を解除するように構成されている。
【００７３】
そのため、解除の手順は単純であり、筐体５３の取り外しが容易である。
【００７４】
このように、本実施形態によれば、筐体固定機構１が収納部７の一部を構成する部材としてのフック部１１ａ、１１ｂと、爪部２９ａ、２９ｂを有し、筐体５３が爪部２９ａ、２９ｂを押圧することによって、爪部２９ａ、２９ｂがフック部１１ａ、１１ｂを押し広げて、筐体５３の固定を解除する。
【００７５】
即ち、筐体固定機構１は、ハウジング部（底部）１５にラッチ機能を持たせ、収納部７と一体となった非常に簡易な構造である。
【００７６】
そのため、フック部１１ａ、１１ｂに高い接触圧力が要求される場合でも、適切な押圧力を確保できる。
【００７７】
また、本実施形態によれば、筐体固定機構１は、爪部２９ａ、２９ｂを押圧することによって筐体５３を固定を解除する構造であるため、固定の解除の手順は単純であり、筐体５３の取り外しが容易である。
【００７８】
さらに、本実施形態によれば、筐体固定機構１は、フック部１１ａ、１１ｂと、爪部２９ａ、２９ｂが斜めに接触する構造とすることにより、固定の解除を実現している。
【００７９】
そのため、構造が非常に単純である。
【産業上の利用可能性】
【００８０】
上記した実施形態では、本発明を携帯電話５１の充電器３に適用した場合について説明したが、本発明は、何等、これに限定されることなく、充電により動作する電子機器を充電するための、あらゆる充電器に適用することができる。
【図面の簡単な説明】
【００８１】
【図１】充電器３を示す斜視図である。
【図２】充電器３を示す正面図である。
【図３】充電器３を示す平面図である。
【図４】図３のＡ−Ａ断面図である。
【図５】図５（ａ）は図３のＢ１領域の拡大図であって、図５（ｂ）は図３のＢ２領域の拡大図である。
【図６】図６（ａ）は、図４のフック部１１ａ付近の拡大図であって、図６（ｂ）は、図４のフック部１１ｂ付近の拡大図である。
【図７】図７（ａ）は、図６（ａ）の状態から筐体５３が爪部２９ａを押圧した状態を示す図であって、図７（ｂ）は図６（ｂ）の状態から筐体５３が爪部２９ｂを押圧した状態を示す図である。
【符号の説明】
【００８２】
１…………筐体固定機構
３…………充電器
３ａ………側枠
３ｂ………底枠
５…………本体
７…………収納部
１１ａ……フック部
１１ｂ……フック部
１３ａ……フック
１３ｂ……フック
１４………側部
１５………ハウジング部（底部）
２１ａ……フック接触部
２１ｂ……フック接触部
２３ａ……端面
２３ｂ……端面
２７ａ……切り欠き部
２７ｂ……切り欠き部
２９ａ……爪部
２９ｂ……爪部
３１ａ……突起
３１ｂ……突起
３３ａ……突起
３３ｂ……突起
３５ａ……端面
３５ｂ……端面
５１………携帯電話
５３………筐体
５５ａ……嵌合部
５５ｂ……嵌合部
【図１】
0005311449.tif 000002
【図２】
0005311449.tif 000003
【図３】
0005311449.tif 000004
【図４】
0005311449.tif 000005
【図５】
0005311449.tif 000006
【図６】
0005311449.tif 000007
【図７】
0005311449.tif 000008